(57)【要約】【課題】貨幣処理装置の詳細な状態情報を容易に検証することが可能となる装置状態記憶システムの提供。【解決手段】貨幣に関する処理を行う貨幣処理装置と、貨幣処理装置を撮像する撮像手段と、撮像手段の撮像データを記憶する記憶手段と、記憶手段に記憶された撮像データを表示する表示手段１５と、を有し、撮像手段は、貨幣処理装置の貨幣を収容する収容部を撮像可能であり、記憶手段は、貨幣処理装置の収容部の貨幣の収容枚数を含む装置情報データを撮像データと合成して記憶する。【選択図】図５
2015041134.tif 000002
【特許請求の範囲】
【請求項１】
貨幣に関する処理を行う貨幣処理装置と、
前記貨幣処理装置を撮像する撮像手段と、
前記撮像手段の撮像データを記憶する記憶手段と、
前記記憶手段に記憶された撮像データを表示する表示手段と、を有する装置状態記憶システムであって、
前記撮像手段は、前記貨幣処理装置の貨幣を収容する収容部を撮像可能であり、
前記記憶手段は、前記貨幣処理装置の前記収容部の貨幣の収容枚数データを含む装置情報データを前記撮像データと合成して記憶することを特徴とする装置状態記憶システム。
【請求項２】
前記装置情報データは、前記収容部の満杯情報データを含むことを特徴とする請求項１記載の装置状態記憶システム。
【請求項３】
前記装置情報データは、前記収容部の空情報データを含むことを特徴とする請求項１または２記載の装置状態記憶システム。
【請求項４】
前記装置情報データは、前記貨幣処理装置への操作情報データを含むことを特徴とする請求項１乃至３のいずれか一項記載の装置状態記憶システム。
【請求項５】
前記収容部が複数あり、
前記撮像手段は複数の前記収容部を撮像可能であって、
前記記憶手段は、複数の前記収容部それぞれの貨幣の収容枚数データを含む前記装置情報データを前記撮像データと合成して記憶することを特徴とする請求項１乃至４のいずれか一項記載の装置状態記憶システム。
【請求項６】
前記記憶手段は、前記貨幣処理装置の処理開始に基づいて前記装置情報データの記憶を開始し、前記貨幣処理装置の処理終了に基づいて前記装置情報データの記憶を終了することを特徴とする請求項１乃至５のいずれか一項記載の装置状態記憶システム。
【発明の詳細な説明】
【技術分野】
【０００１】
本発明は、貨幣処理装置の状態を記憶する装置状態記憶システムに関する。
【背景技術】
【０００２】
監視対象を監視カメラで撮像しその撮像データを再生可能に記憶する監視カメラシステムがある（例えば、特許文献１参照）。また、入金・出金処理を行う自動取引装置を監視する自動取引監視システムとして、撮影された画像情報と時刻情報と操作情報とを画像合成するものがある（例えば、特許文献２参照）。
【先行技術文献】
【特許文献】
【０００３】
【特許文献１】特開２０１０−９８５６８号公報
【特許文献２】特開２００５−１８２７３号公報
【発明の概要】
【発明が解決しようとする課題】
【０００４】
ところで、貨幣処理装置に関して、その詳細な状態情報を容易に検証できるようにすることが求められている。
【０００５】
したがって、本発明は、貨幣処理装置の詳細な状態情報を容易に検証することが可能となる装置状態記憶システムの提供を目的とする。
【課題を解決するための手段】
【０００６】
上記目的を達成するために、請求項１に係る発明は、貨幣に関する処理を行う貨幣処理装置と、前記貨幣処理装置を撮像する撮像手段と、前記撮像手段の撮像データを記憶する記憶手段と、前記記憶手段に記憶された撮像データを表示する表示手段と、を有する装置状態記憶システムであって、前記撮像手段は、前記貨幣処理装置の貨幣を収容する収容部を撮像可能であり、前記記憶手段は、前記貨幣処理装置の前記収容部の貨幣の収容枚数を含む装置情報データを前記撮像データと合成して記憶することを特徴とする。
【０００７】
請求項２に係る発明は、請求項１に係る発明において、前記装置情報データは、前記収容部の満杯情報データを含むことを特徴とする。
【０００８】
請求項３に係る発明は、請求項１または２に係る発明において、前記装置情報データは、前記収容部の空情報データを含むことを特徴とする。
【０００９】
請求項４に係る発明は、請求項１乃至３のいずれか一項に係る発明において、前記装置情報データは、前記貨幣処理装置への操作情報データを含むことを特徴とする。
【００１０】
請求項５に係る発明は、請求項１乃至４のいずれか一項に係る発明において、前記収容部が複数あり、前記撮像手段は複数の前記収容部を撮像可能であって、前記記憶手段は、複数の前記収容部それぞれの貨幣の収容枚数データを含む前記装置情報データを前記撮像データと合成して記憶することを特徴とする。
【００１１】
請求項６に係る発明は、請求項１乃至５のいずれか一項に係る発明において、前記記憶手段は、前記貨幣処理装置の処理開始に基づいて前記装置情報データの記憶を開始し、前記貨幣処理装置の処理終了に基づいて前記装置情報データの記憶を終了することを特徴とする。
【発明の効果】
【００１２】
請求項１に係る発明によれば、記憶手段が、撮像手段によって撮像された貨幣処理装置の収容部の撮像データと、収容部の貨幣の収容枚数を含む装置情報データとを合成して記憶する。このため、記憶手段に記憶された記憶データを表示手段に再生表示させれば、収容部の撮像データと収容部の貨幣の収容枚数の状態とを一つの画面で確認することが可能となる。したがって、貨幣処理装置の詳細な状態情報を容易に検証することが可能となる。
【００１３】
請求項２に係る発明によれば、装置情報データが収容部の満杯情報データを含むため、記憶手段に記憶された記憶データを表示手段に再生表示させれば、収容部の撮像データと、収容部の貨幣の収容枚数の状態と、収容部が満杯状態にあるか否かとを一つの画面で確認することが可能となる。したがって、貨幣処理装置のより詳細な状態情報を容易に検証することが可能となる。
【００１４】
請求項３に係る発明によれば、装置情報データが収容部の空情報データを含むため、記憶手段に記憶された記憶データを表示手段に再生表示させれば、収容部の撮像データと、収容部の貨幣の収容枚数の状態と、収容部が空状態にあるか否かとを一つの画面で確認することが可能となる。したがって、貨幣処理装置のより詳細な状態情報を容易に検証することが可能となる。
【００１５】
請求項４に係る発明によれば、装置情報データが貨幣処理装置への操作情報データを含むため、記憶手段に記憶された記憶データを表示手段に再生表示させれば、収容部の撮像データと、収容部の貨幣の収容枚数の状態と、貨幣処理装置への操作情報とを一つの画面で確認することが可能となる。したがって、貨幣処理装置のより詳細な状態情報を容易に検証することが可能となる。
【００１６】
請求項５に係る発明によれば、記憶手段が、複数の収容部それぞれの貨幣の収容枚数データを含む装置情報データを撮像データと合成して記憶するため、記憶手段に記憶された記憶データを表示手段に再生表示させれば、複数の収容部の撮像データと、これら収容部のそれぞれの貨幣の収容枚数の状態とを一つの画面で確認することが可能となる。したがって、貨幣処理装置のより詳細な状態情報を容易に検証することが可能となる。
【００１７】
請求項６に係る発明によれば、記憶手段は、貨幣処理装置の処理開始に基づいて装置情報データの記憶を開始し、貨幣処理装置の処理終了に基づいて装置情報データの記憶を終了するため、収容部の撮像データと装置情報データとを合成して記憶することが効率良くできる。
【図面の簡単な説明】
【００１８】
【図１】本発明の一実施形態に係る装置状態記憶システムの貨幣処理装置および撮像カメラを示す平面図である。
【図２】本発明の一実施形態に係る装置状態記憶システムの貨幣処理装置、合成録画装置およびモニタ装置を示す側面図である。
【図３】本発明の一実施形態に係る装置状態記憶システムのモニタ装置の表示画面を示す正面図である。
【図４】本発明の一実施形態に係る装置状態記憶システムのモニタ装置の表示画面を示す正面図である。
【図５】本発明の一実施形態に係る装置状態記憶システムのモニタ装置の表示画面を示す正面図である。
【発明を実施するための形態】
【００１９】
本発明の一実施形態に係る装置状態記憶システムを図面を参照して以下に説明する。
【００２０】
図１に示すように、本実施形態に係る装置状態記憶システム１１は、貨幣に関する処理を行う貨幣処理装置１２と、この貨幣処理装置１２を撮像する撮像カメラ１３（撮像手段）とを有しており、撮像カメラ１３の撮像データを記憶する図２に示す合成録画装置１４（記憶手段）と、合成録画装置１４に記憶された撮像データを表示するモニタ装置１５（表示手段）とを有している。
【００２１】
貨幣処理装置１２は、貨幣として具体的には紙幣を取り扱うものである。貨幣処理装置１２は、図２に示すように、操作者により操作される操作部２１と、外部から紙幣が集積状態で投入される受入口２２Ａと、受入口２２Ａから繰り出された紙幣を搬送する図示略の搬送路と、搬送路で搬送中の紙幣を識別する識別部２３と、識別部２３で識別され搬送路で振り分けられた紙幣を外部に取り出し可能に収容する複数（具体的には１３カ所）の収容部２４Ｂ〜２４Ｎとを有している。
【００２２】
操作部２１は、貨幣処理装置１２の上面３１に設けられている。操作部２１は、図１に示すように、処理開始の指示時に操作者により操作される処理開始ボタン２６や、処理終了の指示時に操作者により操作される処理終了ボタン２７や、緊急時に操作者により操作される緊急ボタン２８、解除時に操作者により操作される解除ボタン２９等を有している。
【００２３】
受入口２２Ａは、貨幣処理装置１２の前面３２の下部に設けられており、貨幣処理装置１２の前面３２および一方の側面３３に開口する形状をなしている。受入口２２Ａには、その奥面３４に対し近接および離間可能なビルプレス３５が設けられている。受入口２２Ａには、ビルプレス３５が奥面３４から離された状態で、奥面３４とビルプレス３５との間に紙幣が集積状態で投入されることになり、ビルプレス３５が奥面３４に近接することで投入された紙幣を奥面３４とで挟持する。受入口２２Ａには、受入口２２Ａ内の紙幣の有無を検知する紙幣有無検知センサ３８Ａが設けられている。
【００２４】
収容部２４Ｂ〜２４Ｎのうちの一つである収容部２４Ｂは、貨幣処理装置１２の前面３２の受入口２２Ａよりも上側に設けられており、貨幣処理装置１２の前面３２および受入口２２Ａと同じ側面３３に開口する形状をなしている。収容部２４Ｂは、貨幣処理装置１２の内部から一枚ずつ繰り出された紙幣を底面４１上に集積させる。収容部２４Ｂには、例えば識別が不能な識別不能紙幣や重送等の受入不可紙幣が排出される。収容部２４Ｂには、収容部２４Ｂ内の紙幣の有無を検知する紙幣有無検知センサ３８Ｂが設けられている。
【００２５】
収容部２４Ｂ〜２４Ｎのうちの残りの収容部２４Ｃ〜２４Ｎは、受入口２２Ａおよび収容部２４Ｂよりも後方に設けられており、これら受入口２２Ａおよび収容部２４Ｂと同じ側面３３に開口する形状をなしている。収容部２４Ｃ〜２４Ｎは同様の形状をなしており、それぞれが貨幣処理装置１２内から一枚ずつ繰り出された紙幣を底面４２上に集積させる。収容部２４Ｃ〜２４Ｎには、それぞれ単一金種の紙幣が収納されることになる。
【００２６】
収容部２４Ｃには、収容部２４Ｃ内の紙幣の有無を検知する紙幣有無検知センサ３８Ｃが設けられている。同様に、収容部２４Ｄには紙幣有無検知センサ３８Ｄが、収容部２４Ｅには紙幣有無検知センサ３８Ｅが、収容部２４Ｆには紙幣有無検知センサ３８Ｆが、収容部２４Ｇには紙幣有無検知センサ３８Ｇが、収容部２４Ｈには紙幣有無検知センサ３８Ｈが、収容部２４Ｉには紙幣有無検知センサ３８Ｉが、収容部２４Ｊには紙幣有無検知センサ３８Ｊが、収容部２４Ｋには紙幣有無検知センサ３８Ｋが、収容部２４Ｌには紙幣有無検知センサ３８Ｌが、収容部２４Ｍには紙幣有無検知センサ３８Ｍが、収容部２４Ｎには紙幣有無検知センサ３８Ｎが、それぞれ設けられている。
【００２７】
貨幣処理装置１２は、受入口２２Ａに紙幣が投入されたことを紙幣有無検知センサ３８Ａが検知すると、一の振分処理を開始することになり、この状態で、操作部２１の処理開始ボタン２６の操作を受け付ける状態になる。操作部２１の処理開始ボタン２６が操作されると、図示略の搬送路を駆動して受入口２２Ａの紙幣を一枚ずつに分離し間隔をあけて内部に繰り出して図示略の搬送路で搬送し、この搬送中に識別部２３で識別および計数を行った後、識別部２３の識別結果に基づいて図示略の搬送路で収容部２４Ｂ〜２４Ｎに振り分ける。受入口２２Ａの紙幣がなくなったことを紙幣有無検知センサ３８Ａが検知し、図示略の紙幣通過検知センサが搬送路に紙幣がないことを検知すると、図示略の搬送路を停止させて待機する。再び受入口２２Ａに紙幣が投入されたことを紙幣有無検知センサ３８Ａが検知すると、再び操作部２１の処理開始ボタン２６の操作を受け付ける状態になる。操作部２１の処理開始ボタン２６が操作されると、上記と同様の振り分けを行うことになり、以上を適宜繰り返すことになる。受入口２２Ａの紙幣がなくなったことを紙幣有無検知センサ３８Ａが検知し、図示略の紙幣通過検知センサが搬送路に紙幣がないことを検知した状態で、操作部２１の処理終了ボタン２７の操作を受け付けることになり、操作部２１の処理終了ボタン２７が操作され、かつ収容部２４Ｂ〜２４Ｎからすべての紙幣がなくなったことを紙幣有無検知センサ３８Ｂ〜３８Ｎが検知すると、当該一の振分処理を終了する。
【００２８】
収容部２４Ｂには、識別部２３で識別が不能であった識別不能紙幣や識別部２３で重送と識別された受入不可紙幣が排出される。収容部２４Ｃ〜２４Ｎには、識別部２３で正常と識別された受入可能紙幣が識別結果に基づいて分類される。収容部２４Ｃ〜２４Ｎには、それぞれに、同一の単一金種の汚損度合いの低い紙幣を収容したり、同一の単一金種の汚損度合いの高い紙幣を収容したりする。ここでは、具体的に、収容部２４Ｃ，２４Ｄ，２４Ｅに汚損度合いが低い万円券を、収容部２４Ｆ，２４Ｇ，２４Ｈに汚損度合いが低い千円券を、収容部２４Ｉ，２４Ｊに汚損度合いが低い五千円券を、収容部２４Ｋに汚損度合いに関係なく二千円券を、収容部２４Ｌに汚損度合いが高い万円券を、収容部２４Ｍに汚損度合いが高い千円券を、収容部２４Ｎに汚損度合いが高い五千円券を収容する場合を例にとって説明する。勿論、この分類の仕方は一例であり、これに限られることはなく、貨幣処理装置１２は、設定モードでの操作部２１への操作入力によって種々の分類の仕方が設定可能となっている。
【００２９】
貨幣処理装置１２には、搬送路の各所に図示略の紙幣通過検知センサが設けられている。貨幣処理装置１２は、識別部２３の識別結果および図示略の紙幣通過検知センサの検知結果に基づいて、収容部２４Ｃ〜２４Ｎのそれぞれに収容された紙幣の収容枚数を把握可能であり、このように把握された収容部２４Ｃ〜２４Ｎそれぞれの紙幣の収容枚数を示す紙幣収容枚数データを自身で記憶するとともに出力する。また、貨幣処理装置１２は、収容部２４Ｂ〜２４Ｎに設けられた紙幣有無検知センサ３８Ｂ〜３８Ｎの検知結果である紙幣有無検知データを出力する。また、貨幣処理装置１２は、受入口２２Ａに設けられた紙幣有無検知センサ３８Ａの検知結果である紙幣有無検知データを出力する。なお、収容部２４Ｂには重送紙幣が含まれるため、枚数が不正確となる可能性があり、収容部２４Ｂの紙幣の収容枚数は目安枚数となる。
【００３０】
さらに、貨幣処理装置１２は、操作部２１の処理開始ボタン２６が操作された際にその旨を示す処理開始指示データを出力し、操作部２１の処理終了ボタン２７が操作された際にその旨を示す処理終了指示データを出力する。また、操作部２１の緊急ボタン２８が操作された際にその旨を示す緊急操作データを出力し、操作部２１の解除ボタン２９が操作された際にその旨を示す解除操作データを出力する。貨幣処理装置１２から出力されるこれらの紙幣収容枚数データ、紙幣有無検知データ、処理開始指示データ、処理終了指示データ、緊急操作データおよび解除操作データが、装置情報データとなっている。
【００３１】
よって、装置情報データは、紙幣収容枚数データが、収容部２４Ｃ〜２４Ｎの貨幣の収容枚数および収容部２４Ｃ〜２４Ｎのそれぞれが満杯にある旨の満杯情報を示す満杯情報データとなっている。また、紙幣有無検知データが受入口２２Ａおよび収容部２４Ｂ〜２４Ｎのそれぞれの紙幣が空である旨の空情報を示す空情報データとなっている。さらに、処理開始指示データ、処理終了指示データ、緊急操作データおよび解除操作データが貨幣処理装置１２への操作情報を示す操作情報データとなっている。言い換えれば、装置情報データは、収容部２４Ｃ〜２４Ｎの貨幣の収容枚数データ、収容部２４Ｃ〜２４Ｎの満杯情報データ、受入口２２Ａおよび収容部２４Ｂ〜２４Ｎの空情報データおよび貨幣処理装置１２への操作情報データを含んでいる。
【００３２】
撮像カメラ１３は、動画を撮像するものであり、貨幣処理装置１２の受入口２２Ａおよび収容部２４Ｂ〜２４Ｎのすべてが開口する側面３３を、この側面３３に対向するように固定されて撮像するようになっている。つまり、撮像カメラ１３は、外部から紙幣が投入される受入口２２Ａと、内部から繰り出された紙幣を収容する複数の収容部２４Ｂ〜２４Ｎとを撮像可能であり、撮像した動画の撮像データを出力可能となっている。
【００３３】
合成録画装置１４は、撮像カメラ１３と通信可能であり、撮像カメラ１３よる動画の撮像データを受信して記憶するものである。また、合成録画装置１４は、貨幣処理装置１２とも通信可能であり、貨幣処理装置１２の複数の収容部２４Ｃ〜２４Ｎのそれぞれの収容枚数データを含む装置情報データを受信し、この装置情報データを撮像カメラ１３による動画の撮像データに日時情報とともに合成して状態情報データを作成しこれを記憶する。
【００３４】
合成録画装置１４は、操作者により操作される操作部５１を有している。合成録画装置１４は、記憶している状態情報データが日時で検索可能となっており、操作部５１への操作で再生モードが選択され日時が指定されると、指定された日時から状態情報データを再生してモニタ装置１５に出力可能となっている。また、合成録画装置１４は、リアルタイム表示モードが選択されると、合成した状態情報データを、そのままリアルタイムでモニタ装置１５に出力可能となっている。
【００３５】
合成録画装置１４は、貨幣処理装置１２からの装置情報データに基づくテキストデータを、撮像カメラ１３の撮像データに対して表示上の決められた位置に表示するように合成して状態情報データとし、これを記憶する。
【００３６】
モニタ装置１５は、カラーのモニタ装置であり、合成録画装置１４から入力された状態情報データを画面に表示する。
【００３７】
次に、合成録画装置１４が記憶する状態情報データの具体例をモニタ装置１５の表示画面５５への表示状態をもって説明する。図３〜図５は表示画面５５を示している。
【００３８】
状態情報データでは、貨幣処理装置１２に対し位置固定で撮像を行う図１に示す撮像カメラ１３の撮像データを、図３に示すように、表示画面５５に表示させることになり、この撮像データにおける貨幣処理装置１２の表示領域Ｚの受入口２２Ａ内となる表示領域Ａａに受入口２２Ａの識別を示す「Ａ」の黒色文字を表示させるようにデータが合成される。また、撮像データにおける貨幣処理装置１２の表示領域Ｚの収容部２４Ｂ内となる表示領域Ｂａに収容部２４Ｂの識別を示す「Ｂ」の黒色文字を表示させるようにデータが合成される。
【００３９】
同様に、収容部２４Ｃ内となる表示領域Ｃａに「Ｃ」の黒色文字を、収容部２４Ｄ内となる表示領域Ｄａに「Ｄ」の黒色文字を、収容部２４Ｅ内となる表示領域Ｅａに「Ｅ」の黒色の文字を、収容部２４Ｆ内となる表示領域Ｆａに「Ｆ」の黒色文字を、収容部２４Ｇ内となる表示領域Ｇａに「Ｇ」の黒色文字を、収容部２４Ｈ内となる表示領域Ｈａに「Ｈ」の黒色文字を、それぞれ表示させるようにデータが合成される。また、収容部２４Ｉ内となる表示領域Ｉａに「Ｉ」の黒色文字を、収容部２４Ｊ内となる表示領域Ｊａに「Ｊ」の黒色文字を、収容部２４Ｋ内となる表示領域Ｋａに「Ｋ」の黒色文字を、収容部２４Ｌ内となる表示領域Ｌａに「Ｌ」の黒色文字を、収容部２４Ｍ内となる表示領域Ｍａに「Ｍ」の黒色文字を、収容部２４Ｎ内となる表示領域Ｎａに「Ｎ」の黒色文字を、それぞれ表示させるようにデータが合成される。
【００４０】
また、状態情報データは、撮像カメラ１３の撮像データにおける貨幣処理装置１２の表示領域Ｚよりも外側となる表示領域Ｘに、図示略のタイマから取得する日時情報の「ＸＸＸＸ年ＸＸ月ＸＸ日ＸＸ時ＸＸ分ＸＸ秒」の黒色文字を表示させるようにデータが合成される。つまり、表示画面５５に表示された状態情報データを見れば、表示されている状態がいつのものであるのかを操作者に認識させることができるようになっている。
【００４１】
また、状態情報データは、撮像カメラ１３の撮像データにおける貨幣処理装置１２の表示領域Ｚよりも外側となる表示領域Ａｂに、受入口２２Ａであることの識別である「Ａ：」の黒色文字と、貨幣処理装置１２からの装置情報データに受入口２２Ａの紙幣有無検知センサ３８Ａが紙幣を検知していることを示す紙幣有無検知データが含まれている場合には何も表示させず、受入口２２Ａの紙幣有無検知センサ３８Ａが紙幣を検知していることを示す紙幣有無検知データが含まれていない場合には図３に示すように「ＥＭＰＴＹ」の赤色文字を表示させるようにデータが合成される。つまり、受入口２２Ａに紙幣がない状態では、モニタ装置１５に表示された状態情報データの表示領域Ａｂに、受入口２２Ａが空状態であることを示す「ＥＭＰＴＹ」の赤色文字が表示され、受入口２２Ａに紙幣がある状態では、この「ＥＭＰＴＹ」の文字は表示されない。
【００４２】
また、状態情報データは、撮像カメラ１３の撮像データにおける貨幣処理装置１２の表示領域Ｚよりも外側となる表示領域Ｂｂに、収容部２４Ｂであることの識別である「Ｂ：」の黒色文字と、収容部２４Ｂに収容されている紙幣の枚数を示す数字（図３では「０００」）とを組み合わせて表示させるようにデータが合成される。収容部２４Ｂに収容されている紙幣の枚数を示す数字は、貨幣処理装置１２からの装置情報データに含まれる収容部２４Ｂに収容された紙幣の枚数を示す紙幣収容枚数データに基づくもので、紙幣がないことを示す「０００」から収容部２４Ｂが満杯となる例えば「９９９」までの数字を表示させるようにデータが合成される。なお、上述したように、収容部２４Ｂには重送紙幣が含まれるため、枚数が不正確となる可能性があり、収容部２４Ｂの紙幣の収容枚数は目安枚数となる。
【００４３】
つまり、収容部２４Ｂに紙幣がない状態では図３に示すように表示領域Ｂｂに「０００」を表示させ、識別部２３の識別結果および図示略の紙幣通過検知センサの検知結果から、収容部２４Ｂに紙幣が収容されるとその目安枚数を表示領域Ｂｂに表示させる。なお、収容部２４Ｂの収容枚数は、例えば９９９枚が満杯状態（フル状態）である場合、「９９９」の数字は、収容部２４Ｂを示す識別の「Ｂ」とともに満杯であることを示すように赤色で表示させ、「９００」〜「９９８」の数字は、収容部２４Ｂを示す識別の「Ｂ：」とともに満杯近い状態（ニアフル状態）であることを示すように黄色で表示させ、「０００」〜「８９９」の数字は収容部２４Ｂを示す識別の「Ｂ」とともに黒色で表示させるようになっている。なお、貨幣処理装置１２からの装置情報データに収容部２４Ｂの紙幣有無検知センサ３８Ｂが紙幣を検知していないことを示す紙幣有無検知データが含まれている場合には、表示領域Ｂｂに、紙幣の枚数を示す数字として「０００」を表示させる。
【００４４】
また、状態情報データは、撮像カメラ１３の撮像データにおける貨幣処理装置１２の表示領域Ｚよりも外側となる表示領域Ｃｂに、収容部２４Ｃであることの識別である「Ｃ：」の黒色文字と、収容部２４Ｃに収容されている紙幣の枚数を示す数字（図３では「０００」）とを組み合わせて表示させるようにデータが合成される。収容部２４Ｃに収容されている紙幣の枚数を示す数字は、貨幣処理装置１２からの装置情報データに含まれる収容部２４Ｃに収容された紙幣の枚数を示す紙幣収容枚数データに基づくもので、紙幣がないことを示す「０００」から収容部２４Ｃが満杯となる例えば「９９９」までの数字を表示させるようにデータが合成される。
【００４５】
つまり、収容部２４Ｃに紙幣がない状態では図３に示すように表示領域Ｃｂに「０００」を表示させ、識別部２３の識別結果および図示略の紙幣通過検知センサの検知結果から、収容部２４Ｃに紙幣が収容されるとその枚数を表示領域Ｃｂに表示させる。なお、収容部２４Ｃの収容枚数も、例えば９９９枚が満杯状態（フル状態）である場合、「９９９」の数字は、収容部２４Ｃを示す識別の「Ｃ」とともに満杯であることを示すように赤色で表示させ、「９００」〜「９９８」の数字は、収容部２４Ｃを示す識別の「Ｃ：」とともに満杯近い状態（ニアフル状態）であることを示すように黄色で表示させ、「０００」〜「８９９」の数字は収容部２４Ｃを示す識別の「Ｃ」とともに黒色で表示させるようになっている。なお、貨幣処理装置１２からの装置情報データに収容部２４Ｃの紙幣有無検知センサ３８Ｃが紙幣を検知していないことを示す紙幣有無検知データが含まれている場合には、表示領域Ｃｂに、紙幣の枚数を示す数字として「０００」を表示させる。
【００４６】
同様にして、状態情報データは、表示領域Ｄｂに、「Ｄ：」の黒色文字と、収容部２４Ｄに収容されている紙幣の枚数を示す数字（図３では「０００」）とを組み合わせて表示させるようにデータが合成される。また、表示領域Ｅｂに、「Ｅ：」の黒色文字と、収容部２４Ｅに収容されている紙幣の枚数を示す数字（図３では「０００」）とを組み合わせて表示させるようにデータが合成され、表示領域Ｆｂに、「Ｆ：」の黒色文字と、収容部２４Ｆに収容されている紙幣の枚数を示す数字（図３では「０００」）とを組み合わせて表示させるようにデータが合成される。
【００４７】
また、表示領域Ｇｂに、「Ｇ：」の黒色文字と、収容部２４Ｇに収容されている紙幣の枚数を示す数字（図３では「０００」）とを組み合わせて表示させるようにデータが合成され、表示領域Ｈｂに、「Ｈ：」の黒色文字と、収容部２４Ｈに収容されている紙幣の枚数を示す数字（図３では「０００」）とを組み合わせて表示させるようにデータが合成される。また、表示領域Ｉｂに、「Ｉ：」の黒色文字と、収容部２４Ｉに収容されている紙幣の枚数を示す数字（図３では「０００」）とを組み合わせて表示させるようにデータが合成され、表示領域Ｊｂに、「Ｊ：」の黒色文字と、収容部２４Ｊに収容されている紙幣の枚数を示す数字（図３では「０００」）とを組み合わせて表示させるようにデータが合成される。
【００４８】
また、表示領域Ｋｂに、「Ｋ：」の黒色文字と、収容部２４Ｋに収容されている紙幣の枚数を示す数字（図３では「０００」）とを組み合わせて表示させるようにデータが合成され、表示領域Ｌｂに、「Ｌ：」の黒色文字と、収容部２４Ｌに収容されている紙幣の枚数を示す数字（図３では「０００」）とを組み合わせて表示させるようにデータが合成される。また、表示領域Ｍｂに、「Ｍ：」の黒色文字と、収容部２４Ｍに収容されている紙幣の枚数を示す数字（図３では「０００」）とを組み合わせて表示させるようにデータが合成され、表示領域Ｎｂに、「Ｎ：」の黒色文字と、収容部２４Ｎに収容されている紙幣の枚数を示す数字（図３では「０００」）とを組み合わせて表示させるようにデータが合成される。
【００４９】
また、状態情報データは、貨幣処理装置１２からの装置情報データに緊急操作データが含まれている場合に表示領域Ｙに「ＳＯＳ」の赤色文字を点滅表示させ、貨幣処理装置１２からの装置情報データに解除操作データが含まれている場合に表示領域Ｙから「ＳＯＳ」の文字を消滅させるようにデータが合成される。
【００５０】
ここで、貨幣処理装置１２は、受入口２２Ａに紙幣が投入されたことを紙幣有無検知センサ３８Ａが検知すると、この紙幣有無検知センサ３８Ａの紙幣有無検知データが、装置情報データにおいて一の振分処理の開始を示すことになる。そして、この紙幣有無検知データが含まれている装置情報データを貨幣処理装置１２から受けると、合成録画装置１４は、状態情報データの合成および記憶を開始する。このとき、受入口２２Ａに紙幣があり、収容部２４Ｂ〜２４Ｎのすべてに紙幣がない状態であることから、装置情報データは、図４に示すように、モニタ装置１５の表示画面５５への表示状態で、表示領域Ａｂの「ＥＭＰＴＹ」の文字が消去され、表示領域Ｂｂ〜Ｎｂの数字はすべて「０００」の黒色文字が表示され、すべての収容部２４Ｂ〜２４Ｎが空であることを示している。
【００５１】
この状態から、受入口２２Ａの紙幣が振り分けられると、振り分けに応じて収容部２４Ｂ〜２４Ｎのそれぞれの紙幣収容枚数データを装置情報データが含むことになり、この装置情報データに基づいて表示領域Ｂｂ〜Ｎｂに、収容部２４Ｂ〜２４Ｎのそれぞれの収容枚数に応じた数字がカウントアップされる。
【００５２】
例えば、ある時点では、図５に示すように、表示領域Ｂｂに、収容部２４Ｂに紙幣が２枚繰り出された状態にあることを示す「Ｂ：００２」の黒色文字を、表示領域Ｃｂに、収容部２４Ｃに紙幣が１２３枚繰り出された状態にあることを示す「Ｃ：１２３」の黒色文字を、表示領域Ｆｂに、収容部２４Ｆに紙幣が４５枚繰り出された状態にあることを示す「Ｆ：０４５」の黒色文字を、それぞれ表示させる。また、表示領域Ｉｂに、収容部２４Ｉに紙幣が１５枚繰り出された状態にあることを示す「Ｉ：０１５」の黒色文字を、表示領域Ｌｂに、収容部２４Ｌに紙幣が３枚繰り出された状態にあることを示す「Ｌ：００３」の黒色文字を、表示領域Ｍｂに、収容部２４Ｍに紙幣が２枚繰り出された状態にあることを示す「Ｍ：００２」の黒色文字を、それぞれ表示させる。また、その他の表示領域Ｄｂ，Ｅｂ，Ｇｂ，Ｈｂ，Ｊｂ，Ｋｂ，Ｎｂには、収容部２４Ｄ，２４Ｅ，２４Ｇ，２４Ｈ，２４Ｊ，２４Ｋ，２４Ｎに紙幣が繰り出されていないことを示す「Ｄ：０００」，「Ｅ：０００」，「Ｇ：０００」，「Ｈ：０００」，「Ｊ：０００」，「Ｋ：０００」，「Ｎ：０００」の黒色文字を表示させる。そして、受入口２２Ａの紙幣がなくなると、表示領域Ａｂに「Ａ：ＥＭＰＴＹ」の赤色文字を表示させる。
【００５３】
また、振分処理が進んで、例えば、収容部２４Ｃに紙幣が８００枚繰り出されると、その時点で、表示領域Ｃｂに「Ｃ：８００」の黄色文字を表示させることになり、収容部２４Ｃに紙幣が９９９枚繰り出されると、その時点で、表示領域Ｃｂに「Ｃ：９９９」の赤色文字を表示させることになる。なお、収容部２４Ｃが満杯になると、同じ金種の繰り出し先となる収容部２４Ｄに紙幣が繰り出されることになり、表示領域Ｄｂの数字がカウントアップされる。さらに、収容部２４Ｄが満杯になると、同じ金種の繰り出し先となる収容部２４Ｅに紙幣が繰り出されることになり、表示領域Ｅｂの数字がカウントアップされる。
【００５４】
そして、貨幣処理装置１２は、操作部２１の処理終了ボタン２７が操作され、かつ収容部２４Ｂ〜２４Ｎからすべての紙幣がなくなったことを紙幣有無検知センサ３８Ｂ〜３８Ｎが検知すると、これらの処理終了指示データおよび紙幣有無検知データが装置情報データにおいて一の振分処理の終了を示すことになる。これらの処理終了指示データおよび紙幣有無検知データが含まれている装置情報データを貨幣処理装置１２から受けると、合成録画装置１４は、その後、所定時間経過後に状態情報データの合成および記憶を終了する。なお、一の振分処理の終了時点では、紙幣がすべて取り除かれるため、表示領域Ｂｂ〜Ｎｂの数字は図３に示すようにすべて「０００」となり、表示領域Ａｂに「Ａ：ＥＭＰＴＹ」の赤色文字が表示される。
【００５５】
以上のように、合成録画装置１４は、貨幣処理装置１２の処理開始に基づいて装置情報データの記憶を開始し、貨幣処理装置１２の処理終了に基づいて装置情報データの記憶を終了する。勿論、状態情報データの合成および記憶を常に行うようにしても良い。
【００５６】
なお、貨幣処理装置１２の操作部２１の緊急ボタン２８が操作されて装置情報データに緊急操作データが含まれると、図３に示すように、表示領域Ｙに「ＳＯＳ」の赤色文字を点滅表示させる。この「ＳＯＳ」の赤色文字は、貨幣処理装置１２の操作部２１の解除ボタン２９が操作されて装置情報データに解除操作データが含まれると、消去される。これにより、例えば、合成録画装置１４をリアルタイム表示モードに設定しておくと、合成した状態情報データを、そのままリアルタイムでモニタ装置１５に表示させることになり、この状況で、緊急ボタン２８が操作されると、貨幣処理装置１２および撮像カメラ１３とは離れた場所に設置された合成録画装置１４およびモニタ装置１５のモニタ装置１５の表示画面５５に緊急事態が発生したことを報知できることになる。
【００５７】
以上に述べた本実施形態に係る装置状態記憶システム１１よれば、合成録画装置１４が、撮像カメラ１３によって撮像された貨幣処理装置１２の収容部２４Ｂ〜２４Ｎの撮像データと、収容部２４Ｂ〜２４Ｎの貨幣の収容枚数を含む装置情報データとを合成して記憶する。このため、合成録画装置１４に記憶された記憶データをモニタ装置１５に再生表示させれば、時点時点での収容部２４Ｂ〜２４Ｎの撮像データと時点時点での収容部２４Ｂ〜２４Ｎの貨幣の収容枚数の状態とを一つの画面で確認することが可能となる。したがって、貨幣処理装置１２の詳細な状態情報を容易に検証することが可能となる。
【００５８】
また、装置情報データが収容部２４Ｂ〜２４Ｎの満杯情報データを含むため、合成録画装置１４に記憶された記憶データをモニタ装置１５に再生表示させれば、収容部２４Ｂ〜２４Ｎの撮像データと、収容部２４Ｂ〜２４Ｎの貨幣の収容枚数の状態と、収容部２４Ｂ〜２４Ｎのそれぞれが満杯状態にあるか否かとを一つの画面で確認することが可能となる。したがって、貨幣処理装置１２のより詳細な状態情報を容易に検証することが可能となる。
【００５９】
また、装置情報データが収容部２４Ｂ〜２４Ｎの空情報データを含むため、合成録画装置１４に記憶された記憶データをモニタ装置１５に再生表示させれば、収容部２４Ｂ〜２４Ｎの撮像データと、収容部２４Ｂ〜２４Ｎの貨幣の収容枚数の状態と、収容部２４Ｂ〜２４Ｎのそれぞれが空状態にあるか否かとを一つの画面で確認することが可能となる。したがって、貨幣処理装置１２のより詳細な状態情報を容易に検証することが可能となる。
【００６０】
また、装置情報データが貨幣処理装置１２への操作情報データを含むため、合成録画装置１４に記憶された記憶データをモニタ装置１５に再生表示させれば、収容部２４Ｂ〜２４Ｎの撮像データと、収容部２４Ｂ〜２４Ｎの貨幣の収容枚数の状態と、貨幣処理装置１２への操作情報とを一つの画面で確認することが可能となる。したがって、貨幣処理装置１２のより詳細な状態情報を容易に検証することが可能となる。
【００６１】
また、合成録画装置１４が、複数の収容部２４Ｂ〜２４Ｎそれぞれの貨幣の収容枚数データを含む装置情報データを撮像データと合成して記憶するため、合成録画装置１４に記憶された記憶データをモニタ装置１５に再生表示させれば、複数の収容部２４Ｂ〜２４Ｎの撮像データと、これら収容部２４Ｂ〜２４Ｎのそれぞれの貨幣の収容枚数の状態とを一つの画面で確認することが可能となる。したがって、貨幣処理装置１２のより詳細な状態情報を容易に検証することが可能となる。
【００６２】
また、合成録画装置１４は、貨幣処理装置１２の処理開始に基づいて装置情報データの記憶を開始し、貨幣処理装置１２の処理終了に基づいて装置情報データの記憶を終了するため、収容部２４Ｂ〜２４Ｎの撮像データと装置情報データとを合成して記憶することが効率良くできる。
【符号の説明】
【００６３】
１１  装置状態記憶システム
１２  貨幣処理装置
１３  撮像カメラ（撮像手段）
１４  合成録画装置（記憶手段）
１５  モニタ装置（表示手段）
【図１】
2015041134.tif 000003
【図２】
2015041134.tif 000004
【図３】
2015041134.tif 000005
【図４】
2015041134.tif 000006
【図５】
2015041134.tif 000007